(57)【要約】【課題】夜間電力又は太陽光などの自然エネルギーを含めて、電力と熱を同時に貯蔵することで  電力の充放電に係る損失熱と蓄熱断熱よる熱放散を蓄電効率をあげる温度環境とすることでより効率よくエネルギーの貯蔵をすることである。【解決手段】高温槽１を高温断熱層３にて断熱蓄熱し、其の外部を低温槽２を設けて低温断熱層４にて外気より断熱蓄熱する多段断熱蓄熱構造にて、高温槽１のエントピーの低い熱量を利用して低温槽２のエントピーの増大している低温水７を混合加熱して熱エネルギーの有効利用を図り、充放電、発酵、化学反応を低温槽２雰囲気温度にて保温効果及び反応熱の吸熱を行い低質エネルギーの有効利用する。【選択図】        図１
2004239510.tif 000002
【特許請求の範囲】
【請求項１】
高温槽１に高温水６をもって高温断熱層３にて断熱蓄熱し、其の外部を低温槽２に低温水７をもって低温断熱層４にて外気より断熱蓄熱する多段断熱蓄熱構造を特徴とする蓄熱温水器。
【請求項２】
低温槽２と断熱されないで二次電池５の発生する熱を吸収保温し、外気温と断熱することにより二次電池５の蓄電性能を上げ、且つ蓄放電により発生する熱量を低温水７に蓄熱することが出来る構造とした蓄電機能を持った蓄熱温水器、および二次電池５と同様の効果を持つ化学反応槽、発酵槽を具備した蓄熱温水器。
【請求項３】
給電線３０に設けた電流センサー２９によって設定電流内にて充電電流制御を優先して、ヒーター２３の電流を従属制御して設定時間内に最大量の電気及び熱エネルギーとして蓄えられる制御法を特徴とする蓄電機能を持った蓄熱温水器。
【請求項４】
集光した太陽光を光ダクト３４を通じて高温槽１に放射させ高温水６の熱エネルギーとして蓄えられる構造を特徴とする蓄熱温水器。
【請求項５】
太陽光にて太陽熱コレクター３６を介して低温水７として熱エネルギーを蓄熱できる構造を特徴とする蓄熱温水器。
【発明の詳細な説明】
【０００１】
【発明が属する技術分野】
本発明は、昼夜の需要電力変動を平滑化し、合わせて其の時間帯による購入電力価格差を還元することにより、経済的利得を得ながらエネルギーの有効利用を促進するものに関するものである。
【０００２】
【従来の技術】
従来，夜間の低料金の電力を利用して湯を沸かして保温する夜間電力利用温水器として  熱源として電気抵抗発熱またはヒートポンプ式が実用されているが夜間電力を利用して蓄えられるものは、電気の低いエントロピーに比較して温水によるエントピーの増大した熱エネルギーのみとなっているため熱量としては保存されるがエネルギーのエントロピーとしては多大なる損失をしている。
また電気そのものを蓄電する方法は電源の安定化においては実用されているが、二次電池のコストが高いためエネルギーを蓄えると言う段階までは到達していない。
【０００３】
【発明が解決しようとする課題】
解決しようとする問題点は、夜間電力又は太陽光などの自然エネルギーを含めて、電力と熱を同時に貯蔵することで  電力の充放電に係る損失熱を低質熱量として利用し、蓄熱による保温熱を二次電池５の温度環境とすることで蓄電容量の増大、安定化を図り、利用エネルギー形態に対応して効率よくエネルギーの貯蔵をすることであり、二次電池５と同様に反応過程での損失として廃棄されていた熱の有効利用を計る。
１  供給と需要のエネルギーの変動を吸収する。
２  時間帯による電力価格の低減。
３  利用エネルギーの形態に合わせた効率的なエネルギーの貯蔵。
４  今まで廃棄されていた低質エネルギーを有効利用する。
以上の課題を解決することである。
【０００４】
【課題を解決するための手段】
本発明は、本来持っている元のエネルギーの質を落とさずに、利用されるエネルギーの質に応じて貯蔵を行う為に次ぎのような手段を用いる。
【０００５】
図１において  高温槽１に高温水６をもって高温断熱層３にて断熱蓄熱し、其の外部を低温槽２に低温水７をもって低温断熱層４にて外気より断熱蓄熱する多段断熱蓄熱構造にて、高温水６としてエントピーの低い熱量を貯蔵し、其の断熱後の放散熱による熱量を低温水７としてエントロピーの増大した熱量として二重構造により蓄熱することで、エントピーの増大した熱量は要望される出力温度が低温水７より高くとも  エントピーの低い高温水６の熱量と混合することにより高温水６と低温水７の温度範囲内で自在に得られ、要望される出力温度が低くければ、貯蔵されたエネルギーのエントピーの増大した熱量をそのまま利用出来、エネルギーの質に対する貯蔵体積が減少し、熱放散面積も小さくなることで貯蔵効率も上がる。
これに対し、同一温度で保温するならば、低温で同じ熱量を必要とした場合エントピーの増大した分容量が大きくなり保温面積も大きく、高温を必要な場合は外からのエネルギーを補給しなければ供給温度を蓄熱温度より上昇させることは不可能である。
また高温で保温するならば蓄熱エネルギーのエントロピーは低く保てるが断熱の温度差が大きくなるので断熱コストが多く必要となる。
中心的需要温度が低温水７の近辺であれば二重構造にすることにより、高温水６の放散熱は低温水７に貯蔵され、貯蔵におけるエネルギー損失が最小に留める事が可能となる。
保温温度が複数必要であれば各層の温度勾配に沿って三重、四重と断熱保温の段数を増やせば複数の保温温度管理がエネルギー損失無く行える。
【０００６】
図１にて  低温槽２と断熱されないで二次電池５の発生する熱を吸収保温し、外気温と断熱することにより  二次電池５の温度を一定に保つことで蓄電性能を上げ、且つ蓄放電により発生する熱量を低温水７に蓄熱することが出来る構造とした蓄電機能を持つことで、
１  二次電池５の環境温度と低温水７の間の熱抵抗を少なくして、温度差を少なくして、四季および昼夜天候に左右されずに常に温度を一定に保つ、一般に二次電池は温度が下がると蓄電容量の低下が激しく、環境温度が高いと電極寿命および自己放電量は多くなるが  一般に給湯で利用される温度帯域では大きな悪影響は無くむしろ蓄電容量の増大の利益の方が大きく、充電容量の変動も無くなる。
２  二次電池５の充放電時に損失が発生するが、発生した損失は熱となり二次電池５の環境温度が高くなり結果として低温水７を媒体として熱エネルギーとして貯蔵される事となり、給湯時其のエネルギーは有効利用することが可能となる。
３  温水が不足な状態で蓄電力が余っている状態では、二次電池５より電力を供給することで対応可能で、また逆に出力の温度調節を高温水６より低温水７または冷水８と熱交換にて行えば  温度差を利用した発電機能も附加させることも可能である。
４  二次電池５と同様の効果を持つ化学反応槽、発酵槽に置き換えることにより保温と反応過程により生じる熱を有効利用することが可能となる。
５  ヒートポンプによる冷房が必要な時期ではヒートポンプの放熱配管の一部を低温水７で回収することで、ヒートポンプの効率も上がり、廃熱も有効利用できる。
【０００７】
図３において  給電線３０に設けた電流センサー２９によって設定電流内にて充電電流制御を優先してヒーター２３の電流を従属制御して設定時間内に最大量の電気及び熱エネルギーとして蓄えられる制御法を特徴とする蓄電機能を持つ事により、
１  二次電池５の充電電流は二次電池５の状態及び特質に応じて最適に制御することを優先的に行える。
２  限られた深夜電力料金時間帯に電力契約電流内で最大限の電力を充電することが可能となり、瞬間的なピーク電流が電力契約電流を超えても外部からの供給電力は安定的に電力契約電流内に抑えること可能となる。
３  充電制御により変動の激しい電力でも高温水６としてエントロピーの低い熱として貯蔵が可能で供給電力の枠内で最大限の蓄熱と蓄電が可能となる。
【０００８】
図４において  集光した太陽光を光ダクト３４を通じて高温槽１内に直接放射させ高温水６の熱エネルギーとして蓄えられる構造とすることで、
１  太陽光を光の状態で断熱された雰囲気の中に投入してから熱エネルギーに変換すればエントロピーの低い状態の高温水６として貯蔵が可能となる。
２  光エネルギーの通過する光ダクト３４は真空断熱と遠赤外線の輻射を制限すれば断熱することは容易で、エネルギーの一方通行となり高温槽１内に効率良く貯蔵することが可能となる。
３  電力料金の高い時間帯が日照時間となるので経済性が良く、合わせて太陽電池、変動の大きい風力発電などによる二次電池５の蓄電を行うことも可能で効率的なエネルギーの貯蔵が可能となる。
【０００９】
図５において  太陽光にて太陽熱コレクター３６を介して低温水７として熱エネルギーを蓄熱できる構造とすることで、
１  設備を低コストで設置可能となる。
２  太陽光より太陽熱コレクター３６にて温水にする場合、夏季の晴天を除いて給湯に適するまでの温度上昇が得られない場合が多いが、太陽熱コレクター３６にて暖められた冷水８を低温水７として  夜間電力により加熱された高温水６を補助として用いることで冬季の低い太陽熱温水のエネルギーも有効に利用できる。
【００１０】
以上のような手段を単独又は組み合わせて講じる。
蓄電機能に限らず、低温槽２と同期した温度管理により、低温発熱化学反応、発酵過程等による発熱及び其の保温等に係る、低質なエネルギーでも有効利用が可能となる。
【００１１】
【発明の実施の形態】
実施形態の違いにより、その構造  特徴を説明する。
図１に蓄電蓄熱合併断面図を示し、これを説明する。
高温断熱層３で断熱保温された気密構造の高温槽１は内部に高温水６を加熱する為のヒーター２３を低部に持ち、高温水６の温度を測定する高温水温度センサー１８及び水位を測定する高温水液面センサー２１を内蔵する。
高温槽１は高温水６を大気圧沸騰温度以上で保温する為には圧力容器の構造をとることで沸点以上の温度で保温することが可能となる。
高温断熱層３の外部に低温水７を貯蔵する低温槽２を二次電池５との熱抵抗の少ないアルミ等で構成し  低温水７と二次電池５の熱交換を計る構造で、低温水７の温度を測定する低温水温度センサー１９及び水位を測定する低温水液面センサー２２を内蔵する。
低温槽２と二次電池５及び電流制御放熱器２５は低温断熱層４により外気と断熱保温され、二次電池５の温度を測定する二次電池温度センサー２０を内蔵し、外部に制御箱２４を設置する。
水道水等の給水配管１６より、それぞれ流量制御可能な冷水バルブＡ１０で給湯混合部、冷水バルブＢ１１で高温槽１、冷水バルブＣ１２で低温槽２へ冷水８を供給する。
給湯温水９は給湯配管１５に、それぞれ流量制御可能な低温水バルブ１３で低温槽２より低温水７、高温水バルブ１４で高温槽１より高温水６、冷水バルブＡ１０で給水配管１６より冷水８を給湯温度センサー１７を設けた給湯混合部より混合温度調節されて供給する。
【００１２】
図２に、温度曲線図を示し各部の温度状態を説明する。
温度勾配線２６は各層で、高温水６は高温槽１で気密され高温断熱層３により断熱保温されて低温水７と温度差をもって平衡となり、低温水７は熱抵抗の少ない低温槽２にて二次電池５と気密され温度差が小さく平衡し、低温槽２及び二次電池５部は低温断熱層４により断熱保温されて外気と温度差をもって平衡となる。
低温槽２及び二次電池５部は二次電池５が発熱した場合は、二次電池５部は低温槽２より温度が高くなり熱が逆流して低温水７に蓄熱される。
必要に応じて、高温槽１及び低温水７の接液部は高伝熱材料及び高伝熱形状にて補助して温水の上下温度差を均一化を計る。
【００１３】
図３に制御系統図を示し、制御を説明する。
電力系統より供給された電力は給電線３０より充放電パワーコントローラー２７に供給され、設定時間により二次電池５に二次電池温度センサー２０による温度監視の元に最適な電流で充電を開始し給電線３０に接続された電流センサー２９の検出電流が設定値以下であれば温度コントローラー２８はヒーター２３の電流を通電制御して設定値の範囲内で通電加熱する。
二次電池５の充電制御を優先して行うので充電効率、寿命に悪影響を及ぼさずに規定時間内に最大電力を貯蔵できる事となり、また二次電池５より屋内配線３１に電力供給する時は充放電パワーコントローラー２７により、二次電池５の放電は二次電池５の特性による経済放電深度、経済放電電流を設定し、設定された放電深度あるいは放電電流になると放電を中止して電力系統に切り替えて二次電池５の経済性を高く保持する。
ヒーター２３の電流制御としてはＰＷＭ及びヒーター２３の抵抗値制御でも可能でヒーター２３をヒートポンプの動力に置き換えても良く、電力制御部での損失熱は低温水７の加熱に充当でき、充電電流の制御用制限抵抗をヒーター２３の組合せ発熱抵抗としても良い。
温度コントローラー２８は給湯温度センサー１７により検出された温度が外部より任意に設定される温度に給湯温水９の温度調整するため、低温水バルブ１３を主として補助的に温度低下の場合は高温水バルブ１４を開き高温水６を、温度上昇の場合は冷水バルブＡ１０を開き冷水８を混合調節し、低温水７の量が不足すれば高温水６と冷水８を混合して供給する。この方法により質の高い高温エネルギーの温存を図る事が可能である。
また温度コントローラー２８は、高温水温度センサー１８によって高温水６の温度を検出し、設定温度以上となった場合冷水バルブＢ１１を開き冷水８を高温槽１に供給し一定温度となるように調節し、低温水温度センサー１９によって低温水７の温度を検出し、設定温度以上となった場合冷水バルブＣ１２を開き冷水８を低温槽２に供給し一定温度となるように調節する。また高温水液面センサー２１により高温水６の容量が許容値以上となった場合はヒーター２３の通電加熱を停止させ温度及び水位の上昇を停止させ、低温水液面センサー２２により低温水７の容量が許容値以上となった場合は冷水バルブＣ１２を閉る。冷水バルブＣ１２を閉て尚温度上昇すようであれば低温断熱層４の一部より外気を取り込む等の手段を講じる。
【００１４】
図４に集光太陽光附加蓄電蓄熱合併断面図を示し、これを説明する。
図１で説明したものに、光ダクト３４内部を光のみ通じて高温槽１内部に光エネルギーより直接高温水６及び高温槽１内面を加熱できるようにした物で、外部太陽光を集光反射するパラボラ反射板３２と其の反射角度を光ダクト３４の開放部に設けた集光反射器３３部に制御する太陽追尾装置３５を附加した物である。外部の太陽光が集光され光ダクト３４内面にて反射されながら高温槽１内部に到達すると其のエネルギーは外気温に係らず、高温水６の温度を追加熱しヒーター２３による通電加熱と同様の作用があり、日照があれば外部電力を用いずに高温水６としてエネルギーの貯蔵が可能であり  昼間の温水使用量が多くても価格の高い昼間の電力を利用しなくて済み、太陽電池を用いて発電後電力にて過熱するより効率が高く設備コストも低くすることが可能である。
【００１５】
図５に太陽熱附加蓄熱断面図を示し、これを説明する。
図１で説明したものより蓄電設備を除外し、冷水バルブＣ１２からの冷水８を太陽熱給水配管３９を通じ太陽熱コレクター３６にて太陽より熱を受け取った後太陽熱温水配管３８を通じて低温槽２に低温水７として貯蔵できる構造としたものである。
これは蓄電設備が無い為設備コストを大幅に低下でき、太陽熱コレクター３６によって低温しか得られなくても夜間電力よる高温水６と混合して給湯温水９を得ることにより低温エネルギーでも有効に利用する事ができるようにしたものである。
太陽熱コレクター３６に給水する冷水バルブＣ１２の制御は太陽熱コレクター３６の出口に配置した太陽熱温水センサー３７によって測定温度が低温槽２内の低温水７温度又は設定温度より高い場合は冷水バルブＣ１２を開き冷水８を太陽熱により加温貯蔵し、低い場合は低温槽２の冷却効果しかないので冷水バルブＣ１２は閉じておき、低温水７が無き場合は  給湯温水９は高温水バルブ１４よりの高温水６と冷水バルブＡ１０よりの冷水８との混合調節により行う。
これらの制御は簡単なので浮式バルブと温度バルブの組合せによる機械式でも可能である。
また太陽熱コレクター３６の代位として簡易的に低温断熱層４の一部を二重真空ガラスなどにより温室構造にして行うことも可能であり、直接太陽光が当たらなければ外部に反射板にて太陽光を導くことも可能である。
【００１６】
図６に燃焼加熱蓄電蓄熱合併断面図を示し、これを説明する。
図１によるヒーター２３を電力による加熱でなく、灯油等の燃料の燃焼により高温水６を加熱する物で、高温槽１の中に燃焼室４０を設け、燃焼用空気を外気より送風機４２にて送風管４１を通じて送風し、燃料管４３より供給する燃料と燃焼室４０内で混合燃焼させ、排気ガスを排気管４４を通じて一旦低温槽２の低温水７に通して熱交換後外気に排気口４５より排出する構造をもつもので、
給湯温水９の温度調節が一旦蓄熱後になるので、燃料の燃焼コントロールが容易でオンオフ程度の制御で対応でき、排気管４４が低温槽２の低温水７に通すことで燃料の持つ潜熱まで有効利用可能となる。
また電気と違い時間による料金額の変動が無い為必要な時に加熱可能であり、条件によってエネルギー源を選択することも可能となる。燃焼室４０内の燃焼を触媒反応に置き換えれば最大燃焼量は低下するが自然通風により長時間加熱ができ燃焼機器のコスト減と騒音も無くなすことが可能であり機器の寿命を延ばすこともできる。
低温槽２外周を汚泥発酵槽として保温発酵させ生じたガスを燃料として用いる事も可能である。
【００１７】
図７に熱風附加蓄熱断面図を示し、これを説明する。
図１で説明したものに、高温槽１より高温水６を高温配管４６にて高温バルブ５０で流量制御しながら放熱配管４７へ送り、必要な場所にて自然対流またはファン４９による強制対流で空気などに熱交換して温風温熱として利用するとともに、熱交換された後高温水６は低温配管４８を通じ低温槽２へ再貯蔵する構造をもつもので、
比較的高温の温風が得られる為、温風暖房、乾燥機、飲料過熱、料理などに直接電気、燃焼によらず高温の熱利用が可能となり、特に家庭では衣料乾燥機熱源として多くの電力あるいは燃料が消費されているので利用価値が高い。
高温水６は熱交換された後も相当の熱量を保持しているので再度低温槽２に戻し低温水７として熱利用されるのでエネルギー利用効率は高くなる。
また高温配管４６の高温水６は加熱水とすることも可能なので直接蒸気洗浄等にも利用可能である。
【００１８】
図８に風呂桶一体熱蓄電蓄熱断面図を示し、これを説明する。
図１で説明した基本機能において、低温断熱層４と其の外面を形状を風呂桶５１形状とし必要時湯５２を貯めて風呂とする物である。
一般家庭で利用される低温熱は風呂が主である為、風呂桶５１と低温断熱層４を一体構造としてトータル製造コストを低減し、合わせて湯５２の放散熱量を低減し湯５２の温度低下を防ぐ物である。またこのような構造とすることにより設置スペースが必要なくなり集合住宅のような新規の設置場所のない場合でも、搬入さえ可能であれば設置が可能である。また風呂に必要な「追い炊き」等の機能は図７の熱風附加蓄熱断面図の放熱配管４７を湯５２と熱交換して行え、湯５２の排出時に冷水８と熱交換、または廃湯を濾過処理して直接低温水７に再利用も可能である。
必要な配管などもユニット化することが容易である。
【００１９】
以上のようにそれぞれの構造と特徴をもち、各構造、機能の組合せ、構成材質により、さまざまな環境に合わせることが可能である。
また安全対策に尽いては、高温槽１の圧力上昇が考えらるが圧力安全弁により低温槽２に過剰圧力を逃がせば其の蒸気は低温水７となりエネルギー損失も低く抑えられる。
【００２０】
【実施例】
本発明の実施例として一般家庭用途として契約電力５０Ａ／１００Ｖにて、給湯利用温度４２度にて５００リットルを想定する。
１  蓄電容量は５０Ａの５０％×５時間の深電力相当分とし１２５ＡＨ、バッテリー寿命を考慮して５０％の放電率で利用するとサイクル鉛バッテリー容量として１２Ｖ換算して１０００ＡＨの容量が必要となり、市販品１００ＡＨ相当を１０台となり、バッテリー寿命は２年から３年（容量８０％寿命１０００サイクル見込み）程度となるが寿命後も８０％の容量が確保されているのでそのまま使うことが可能であり、使用に耐えなくなれば再生するなどの手段を講じて延命利用する事も出来、鉛バッテリーの環境温度は３０−４０度に保たれ蓄電容量は定格の１０％程度上昇し、充放電特性においても５０％の放電率時の充電電流は１／１０Ｃで充電時以外の１９時間放電では多少変動が有っても充放電環境は鉛バッテリーの特性に非常に合致することなり、したがって耐用年数も長くなる。
また鉛バッテリーの劣化により充放電効率が悪化して発熱しても低温水７に吸熱され温熱として有効利用されるのでエネルギー損失は大きくはならない。
２  温水は５０Ａの５０％×５時間の深電力相当分を高温水６として１２０度にて保温するものとして給水温が３０度を基準としても１２０リットル以上有れば良いので余裕を見て１５０リットル程度の容積とする。
３  低温槽２の容積として、蓄電容量の１０％が熱量として４０度まで加温する給水温が３０度を基準として１０７．５リットル以上有れば良いので余裕を見て２００リットル程度の容積とする。
４  基本構造は図１に示す構造で、高温槽１は真空二重ステンレスで耐圧は水道水圧力に十分に耐えれれば良く、低温槽２はステンレス薄板構造で水漏れが起こらなければ良い、また  高温槽１及低温槽２内部の温度差を小さくする為熱伝導率の良いアルミ、銅等にて上下方向の熱移動を容易にして置く、低温槽２と密着する配置で二次電池５を設置し必要に応じて熱伝導率の良いアルミ、銅等により温度の均一化を計り、其の外周を密閉する用に発泡スチロール等の廉価で高断熱性能を持つ低温断熱層４を１５０ｍｍにて構成する。
５  本構成にて概略外形  高さ１．５Ｍ直径１．５Ｍ程度の大きさとなり、二次電池５より充電時を除き１９時間放電にて平均電力６．５Ａ／１００Ｖが深夜電力価格にて利用でき、一時的な利用電流は１００Ａを超えての利用も可能となる。
６  給湯温水９は利用温度４２度にて高温水６と低温水７及び冷水８を混合して少なくとも２５０リットル以上は利用可能である。
【００２１】
概略設備コストとして温水保温器は構造的に市販電気温水器と同等で３０円万程度、サイクルバッテリーは１００ＡＨ／１２Ｖが市販価格１万５０００円程度より入手可能で１０台分１５万円、充電器を含むインバーター機器が１０万円程度で可能であるから、５５万円程度の製造コストで供給可能である。
【００２２】
これらによる経済効果は深夜電力（出願時）を５円／ＫＷＨ、昼間電力２３円／ＫＷＨとすれば１日の深夜電力蓄電蓄熱分の５０Ａ×５時間×１００Ｖ＝２５ＫＷＨ／日となり  差額１８円×２５ＫＷＨ／日＝４５０円／日、年額換算１６．５万円／年となり  初期設備費とバッテリー交換一回分のコストが７０万円程度なので、４年で完全償却できる事になり、既存の給湯設備が不要となるので既存設備寿命交換時に導入すれば２年程度にての実質償却可能である。
本発明による設備寿命を１０年としバッテリー交換３回で通年設備コストは８５万程度、その間の電力差額は１６５万で  年額平均８万円程度となり電力料金が半額になったと同じ経済的利得が得られ、可動部及び高熱部が無い為維持コスト、耐用年数も燃焼系の温水器の倍以上は期待できるためさらに効果は大きい。
また経済的利得が得られると同時に騒音も無く、電力の安定化も計れ、電力系統においても昼夜の電力不均衡が解消され環境負荷も軽減することができる。
将来的に自然エネルギーの利用法である、風力発電、太陽光発電、太陽熱利用にも容易に適応可能である。
温水容量と蓄電容量の比率は電力及び温水の利用状態によって選択できるので、利用状態より最適比率を設定でき、蓄電容量は設置後の追加も容易である。
【００２３】
【発明の効果】以上説明したように、本発明の効果を以下に列記する。
電力蓄電利用による効果より
１  電力系統の昼夜の変動が少なくなり余剰電力の有効利用が図れる。
２  夜間電力のコストメリットを享受できる。
３  屋内でのピーク電力を平滑化することができ、期本契約電力を少なく設定可能で基本契約料金が節約でき、電力利用変動大きい工場などに其の効果は大きい。
４  電力系統の停電等トラブル時にも短時間では屋内電力は影響を受けないので病院、コンピュータ用電源、災害時緊急電源等  電源の安定供給の必要な場所での利用に効果がある。
【００２４】
多段断熱蓄熱構造により
１  熱エネルギーの利用効率が上がる。
２  保温機能を利用できるので蓄電機能のみでなく、食品の保温、発酵温度管理など低温熱の安定有効利用が可能となる。
３  保温機能と低温回収機能にて雑排水、汚泥を発酵させ発生ガスを熱源として小規模よりセントラルヒーティング機構を形成する事も可能となる。
４  発酵及び発熱反応を伴う過程の廃棄されていた低質熱量も有効利用できる。
５  低温廃水の熱及び水資源の再利用が可能となる。
【００２５】
自然エネルギーを利用することにより
１  太陽光、風力発電は出力変動が大きく、直接利用は難しいが、一旦貯蔵して用いれば利用が容易になる。
２  太陽光の熱利用では電気変換より効率が高く、比較的小型の面積でも実用になる。
【００２６】
以上のように本発明の効果はさまざまな環境に対応でき、エネルギーのコスト削減、エネルギーの安定利用が促進され、利用時の環境負荷は軽減される。
【００２７】
【図面の簡単な説明】
【図１】蓄電蓄熱合併断面図
【図２】温度曲線図
【図３】制御系統図
【図４】集光太陽光附加蓄電蓄熱合併断面図
【図５】太陽熱附加蓄熱断面図
【図６】燃焼加熱蓄電蓄熱合併断面図
【図７】熱風附加蓄熱断面図
【図８】風呂桶一体熱蓄電蓄熱断面図
【符号の説明】
１  高温槽
２  低温槽
３  高温断熱層
４  低温断熱層
５  二次電池
６  高温水
７  低温水
８  冷水
９  給湯温水
１０  冷水バルブＡ
１１  冷水バルブＢ
１２  冷水バルブＣ
１３  低温水バルブ
１４  高温水バルブ
１５  給湯配管
１６  給水配管
１７  給湯温度センサー
１８  高温水温度センサー
１９  低温水温度センサー
２０  二次電池温度センサー
２１  高温水液面センサー
２２  低温水液面センサー
２３  ヒーター
２４  制御箱
２５  電流制御放熱器
２６  温度勾配線
２７  充放電パワーコントローラー
２８  温度コントローラー
２９  電流センサー
３０  給電線
３１  屋内配線
３２  パラボラ反射板
３３  集光反射器
３４  光ダクト
３５  太陽追尾装置
３６  太陽熱コレクター
３７  太陽熱温水センサー
３８  太陽熱温水配管
３９  太陽熱給水配管
４０  燃焼室
４１  送風管
４２  送風機
４３  燃料管
４４  排気管
４５  排気口
４６  高温配管
４７  放熱配管
４８  低温配管
４９  ファン
５０  高温バルブ
５１  風呂桶
５２  湯
【図１】
2004239510.tif 000003
【図２】
2004239510.tif 000004
【図３】
2004239510.tif 000005
【図４】
2004239510.tif 000006
【図５】
2004239510.tif 000007
【図６】
2004239510.tif 000008
【図７】
2004239510.tif 000009
【図８】
2004239510.tif 000010